(57)【要約】      （修正有）【課題】除細動器／モニタ用のポーチモジュールを組み込むモジュール式医療装置を提供する。【解決手段】モジュール式医療装置は、除細動器／モニタ２０及び１つ又は複数のポーチモジュール６０を使用する。除細動器／モニタは、除細動器及び／又は心電図モニタ（例えば、除細動器モジュール及びＥＣＧモニタモジュール）を含む。各ポーチモジュールは、除細動器／モニタに永久に又は着脱可能に接続され、除細動器／モニタの動作を支援する１つ又は複数の付属品４０、５０（例えば、ＥＣＧケーブル、電極、変換器、パッド、データ記憶装置、用紙、通信装置、応急処置製品／流体、及び医療用品／ツール）を格納するように構造的に構成される。代わりに、フレームを有するクレードルモジュール７０が、ポーチモジュールを除細動器／モニタに接続するために、モジュール式医療装置により使用され、完全ではないにしても部分的に、除細動器／モニタを囲む。【選択図】図１
2019166377.tif 000002
【特許請求の範囲】
【請求項１】
除細動器又はＥＣＧモニタのうちの少なくとも１つを含む除細動器／モニタと、
前記除細動器／モニタに接続されて動作可能なポーチモジュールと
を含む、モジュール式医療装置であって、
前記ポーチモジュールは、前記除細動器／モニタの動作を支援する少なくとも１つの付属品を格納するように構造的に構成される、
モジュール式医療装置。
【請求項２】
前記ポーチモジュールは、前記少なくとも１つの付属品を格納するための、少なくとも１つの格納コンパートメントを含む、請求項１に記載のモジュール式医療装置。
【請求項３】
前記ポーチモジュールは、前記少なくとも１つの格納コンパートメント内に格納された前記付属品の各々を固定するように構造的に構成された格納カバーを更に含む、請求項２に記載のモジュール式医療装置。
【請求項４】
前記格納カバーは、前記少なくとも１つの格納コンパートメントに対して開放位置と閉鎖位置との間で移行するように動作可能である、請求項３に記載のモジュール式医療装置。
【請求項５】
前記除細動器／モニタはプリンタを含み、
前記ポーチモジュールは前記プリンタの印刷動作を支援する用紙をガイドするように構造的に構成される、
請求項１に記載のモジュール式医療装置。
【請求項６】
除細動器又はＥＣＧモニタのうちの少なくとも１つを含む除細動器／モニタと、
前記除細動器／モニタに接続されるフレームを含むクレードルモジュールと、
前記クレードルモジュールの前記フレームに接続されるポーチモジュールと
を含む、モジュール式医療装置であって、
前記ポーチモジュールは、前記除細動器／モニタの動作を支援する少なくとも１つの付属品を格納するよう構造的に構成される、
モジュール式医療装置。
【請求項７】
前記クレードルモジュールは、前記ポーチモジュール内に格納された前記付属品の各々を固定するように構造的に構成された格納カバーを含む、請求項６に記載のモジュール式医療装置。
【請求項８】
前記格納カバーは、前記クレードルモジュールに対して開放位置と閉鎖位置との間で移行するように動作可能である、請求項７に記載のモジュール式医療装置。
【請求項９】
前記ポーチモジュールは、前記少なくとも１つの付属品を格納するための、少なくとも１つの格納コンパートメントを含む、請求項６に記載のモジュール式医療装置。
【請求項１０】
前記ポーチモジュールは、前記少なくとも１つの格納コンパートメント内に格納された前記付属品の各々を固定するように構造的に構成された格納カバーを更に含む、請求項９に記載のモジュール式医療装置。
【請求項１１】
前記格納カバーは、前記少なくとも１つの格納コンパートメントに対して開放位置と閉鎖位置との間で移行するように動作可能である、請求項１０に記載のモジュール式医療装置。
【請求項１２】
前記クレードルモジュールは、前記少なくとも１つの格納コンパートメント内に格納された前記付属品の各々を固定するように構造的に構成された格納カバーを含む、
請求項９に記載のモジュール式医療装置。
【請求項１３】
前記格納カバーは、前記少なくとも１つの格納コンパートメントに対して開放位置と閉鎖位置との間で移行するように動作可能である、請求項１２に記載のモジュール式医療装置。
【請求項１４】
前記除細動器／モニタはプリンタを含み、
複数の前記ポーチモジュールのうちの１つは前記プリンタの印刷動作を支援する用紙をガイドするように構造的に構成される、
請求項６に記載のモジュール式医療装置。
【請求項１５】
前記クレードルモジュールの前記フレームは、少なくとも部分的に前記除細動器／モニタを囲むように構造的に構成される、
請求項６に記載のモジュール式医療装置。
【請求項１６】
前記フレームは、側壁と、前記側壁との間に一体化された底面部とを含む、請求項６に記載のモジュール式医療装置。
【請求項１７】
前記底面部は、ゴム補強部材又は空気圧縮補強部材の少なくとも１つを含む、請求項１６に記載のモジュール式医療装置。
【請求項１８】
前記底面部は、少なくとも１つのゴム止めを含む、請求項１６に記載のモジュール式医療装置。
【請求項１９】
前記フレームは、側壁と、前記側壁の間に一体化された背面壁とを含む、請求項６に記載のモジュール式医療装置。
【請求項２０】
前記フレームは、側壁と、前記側壁を連結するための固定ストラップとを含む、請求項６に記載のモジュール式医療装置。
【発明の詳細な説明】
【技術分野】
【０００１】
本開示は、モジュール式医療装置に関し、より具体的には、除細動器／モニタの動作のための付属品（例えば、ＥＣＧケーブル、監視電極、データ記憶システム等）を格納するために使用することができる除細動器／モニタ用の新規で創造的なポーチモジュールに関する。
【背景技術】
【０００２】
携帯型除細動器／モニタは、病院の内外で緊急医療用に使用される。これらの装置は、例えば、心電図（“ＥＣＧ”）、パルスオキシメトリ（“ＳｐＯ２”）、非観血血圧（“ＮＩＢＰ”）、呼気（呼吸終期）二酸化炭素（“ＥｔＣＯ２”）、温度及び観血血圧（“ＩＢＰ”）等の、１つ又は複数のバイタルサイン監視パラメータを組み込む。これらの装置は、例えば、除細動ショック（例えば、自動体外式除細動器、同期型除細動及び経皮ペーシング）等の、電気治療送達性能を更に組み込む。
【０００３】
モジュール型の携帯型除細動器／モニタにおいて、患者測定性能の全部又は一部は、高エネルギ治療送達を提供するショック療法モジュールから分離可能なＥＣＧ測定モジュールによって、主に提供される。一般的に、携帯型除細動器／モニタの動作を支援するために必要な付属品は、別個のキャリアによって格納され、輸送される。
【発明の概要】
【発明が解決しようとする課題】
【０００４】
本開示は、除細動器／モニタの動作のための１つ又は複数の付属品（例えば、ＥＣＧケーブル、監視電極、データ記憶システム等）を格納するために使用され得る、除細動器／モニタ用の新規で創造的なポーチモジュールを組み込むモジュール式医療装置を提供する。
【課題を解決するための手段】
【０００５】
本開示の発明の１つの形態は、除細動器／モニタ及びポーチモジュールを使用するモジュール式医療装置である。ポーチモジュールは、除細動器／モニタに接続され、除細動器／モニタの動作を支援する付属品を格納するように構造的に構成される。
【０００６】
本開示の発明の第２の形態は、除細動器／モニタ、クレードルモジュール、及び１つ又は複数のポーチモジュールを使用するモジュール式医療装置である。クレードルモジュールのフレームは除細動器／モニタに接続され、ポーチモジュールはクレードルモジュールのフレームに接続される。ポーチモジュールは、除細動器／モニタの動作を支援する付属品を格納するように構造的に構成される。
【０００７】
本開示の目的上、「除細動器」、「モニタ」、「心電図（ＥＣＧ）」、「付属品」、「ポーチ」、「クレードル」、及び「モジュール」を含むがこれらに限定されない技術用語は、本開示の従来技術において理解され、本明細書で例示的に説明されるものと解釈される。
【０００８】
本開示の目的のために、用語「除細動器／モニタ」は、除細動器及び／又はＥＣＧモニタを広く包含する。除細動器／モニタの例は、患者のベッドサイドＥＣＧモニタ、携帯型診断ＥＣＧモニタ、自動体外式除細動器及び高度な生命維持除細動器／モニタを含むが、これらに限定されない。
【０００９】
本開示の目的のために、用語「接続する」及びその任意の時制は、コンポーネント又はコンポーネントの隣接配置の間の直接的な物理的接触を含むコンポーネントの接続、連結、取り付け、装着、貼り付け等の任意の固定のタイプを広く包含する。
【００１０】
本開示の前述の形態及び他の形態並びに本開示の様々な特徴及び利点は、添付の図面と併せて読まれる本開示の様々な実施形態の以下の詳細な説明から更に明らかになるだろう。詳細な説明及び図面は、本開示の限定ではなく単なる例示であり、本開示の範囲は、添付の特許請求の範囲及びその均等物によって定義される。
【図面の簡単な説明】
【００１１】
【図１】本開示の発明の原理によるモジュール式医療装置の様々なコンポーネントのブロック図を示す。
【図２Ａ】本開示の発明の原理によるポーチモジュールの例示的な実施形態の側面図を示す。
【図２Ｂ】本開示の発明の原理によるポーチモジュールの例示的な実施形態の側面図を示す。
【図２Ｃ】本開示の発明の原理によるポーチモジュールの例示的な実施形態の側面図を示す。
【図２Ｄ】本開示の発明の原理によるポーチモジュールの例示的な実施形態の側面図を示す。
【図３Ａ】本開示の発明の原理によるモジュール式医療装置の第１の例示的な実施形態の正面図を示す。
【図３Ｂ】本開示の発明の原理によるモジュール式医療装置の第１の例示的な実施形態の上面図を示す。
【図３Ｃ】本開示の発明の原理によるモジュール式医療装置の第１の例示的な実施形態の背面図を示す。
【図４Ａ】本開示の発明の原理によるクレードルモジュールの第１の例示的な実施形態の正面図を示す。
【図４Ｂ】本開示の発明の原理によるクレードルモジュールの第１の例示的な実施形態の側面図を示す。
【図４Ｃ】本開示の発明の原理によるクレードルモジュールの第１の例示的な実施形態の背面図を示す。
【図５Ａ】本開示の発明の原理によるモジュール式医療装置の第２の例示的な実施形態の正面図を示す。
【図５Ｂ】本開示の発明の原理によるモジュール式医療装置の第２の例示的な実施形態の上面図を示す。
【図５Ｃ】本開示の発明の原理によるモジュール式医療装置の第２の例示的な実施形態の背面図を示す。
【図６】本開示の発明の原理による院内モジュール式医療装置の例示的な連結の斜視図を示す。
【図７】本開示の発明の原理による院外モジュール式医療装置の例示的な連結の斜視図を示す。
【図８Ａ】本開示の発明の原理によるクレードルモジュールの第２の例示的な実施形態の正面斜視図を示す。
【図８Ｂ】本開示の発明の原理によるクレードルモジュールの第２の例示的な実施形態の背面斜視図を示す。
【発明を実施するための形態】
【００１２】
本開示の理解を容易にするために、図１の以下の説明は、Ｘ≧１であるＸ個のポーチモジュールを使用するモジュール式医療装置の基本的な発明原理を教示する。この説明から、当業者は、同一及び／又は様々なタイプのＸ個のポーチモジュールを使用する任意のタイプのモジュール式医療装置に、本開示の発明原理をどのように適用するかを理解するだろう。
【００１３】
図１を参照すると、モジュール式医療装置は、コントローラ３１、ディスプレイ３２、ショック源３３、プリンタ３４、及びユーザ／ポートインターフェース３５を含むが、これらに限定されない、従来技術で知られているような、１つ又は複数の内部コンポーネント３０を組み込んだ除細動器／モニタ２０を使用する。除細動器／モニタ２０の例は、患者のベッドサイドＥＣＧモニタ、携帯型診断ＥＣＧモニタ、自動体外式除細動器及び高度な生命維持除細動器／モニタを含むが、これらに限定されない。
【００１４】
従来技術で知られている様々な付属品４０及び５０は、除細動器／モニタ２０の動作を支援するために設けられている（例えば、バイタルサイン監視、除細動ショック送達、同期型除細動及び経皮ペーシング）。付属品４０は、除細動器／モニタ２０の動作を容易にし、ＥＣＧケーブル４１、電極／変換器４２、パッド４３、データ記憶装置４４（例えば、ＵＳＢ、ＳＤ及びフラッシュドライブ）、及び プリンタ３４のための用紙４５を含むが、これらに限定されない。付属品５０は、除細動器／モニタ２０の動作においてエンドユーザ及び／又は患者のために追加の支援を提供し、通信装置５１（例えば、携帯電話）、応急処置製品／体液５２、及び医療用品／ツール５３を含むが、これらに限定されない。
【００１５】
ポーチモジュール６０は、１つ又は複数の付属品４０及び５０の格納のために、除細動器／モニタ２０に永久に又は着脱可能に接続されるように構造的に構成される。
【００１６】
実際には、除細動器／モニタ２０へのポーチモジュール６０の接続は、除細動器／モニタ２０とポーチモジュール６０との間の直接的な物理的接触、又はポーチモジュール６０の除細動器／モニタ２０への隣接配置を伴う、ポーチモジュール６０の除細動器／モニタ２０へ／上への接続、連結、取り付け、装着、貼り付け等の任意の固定のタイプを含むが、これらに限定されない。更に、ポーチモジュール６０は、ポーチモジュール６０の別の除細動器／モニタ２０への接続、連結、取り付け、装着、貼り付け等を含むが、これらに限定されない任意の理由で、除細動器／モニタ２０から切断、分離、着脱、除去、又は取り外し等されるように、更に構造的に構成される。このように、様々な除細動器／モニタ２０に接続されているポーチモジュール６０は、特に院内使用と院外緊急医療使用との両方のために互換性があり、汎用性がある。
【００１７】
また、実際には、ポーチモジュール６０は、本明細書で教示される発明の原理を考慮して当業者が理解するように、特定のタイプの除細動器／モニタ２０に接続されるため、及び、一般的な又は特定のタイプの１つ又は複数の付属品（例えば、アイテム４０及び５０）の格納のために適した任意の構成、寸法及び材料組成（例えば、プラスチック、ゴム等）を有する。図示された一実施形態では、各ポーチモジュール６０は、付属品を格納するための１つ又は複数の格納コンポーネント６１と、格納コンパートメント６１内に格納された付属品を固定するための１つ又は複数の格納カバー６２とを含む。
【００１８】
例えば、図２Ａに示すように、一般的なポーチモジュール８０は、付属品を格納するための単一の格納コンパートメント８１と、除細動器／モニタ２０に取り付けるためのプロング８２とを含む。
【００１９】
さらなる例によると、図２Ｂに示すように、一般的なポーチモジュール９０は、付属品を格納するための２つの格納コンポーネント９１と、除細動器／モニタ２０に取り付けるためのプロング９２とを含む。
【００２０】
図２Ｃに示すように、例示的なプリンタポーチモジュール１００は、付属品を格納するための格納コンパートメント１０１と、除細動器に取り付けるためのプロング１０２とを含む。プリンタポーチモジュール１００は、プリンタ３４（図１）による印刷中に用紙４５（図１）をガイドするように構造化及び／又は構成された用紙ガイド１０３を更に含み、これにより、図４Ａ‐図４Ｃの説明に関連して本明細書において更に後述されるように、プリンタ用紙の詰まりを防止する（又はその可能性を大幅に最小化する）。
【００２１】
図２Ｄに示すように、カバーされた例示的なポーチモジュール１１０は、付属品を格納するための格納コンパートメント１１１と、除細動器に取り付けるためのプロング１１２とを含む。カバーされたポーチモジュール１１０は、格納コンポーネント１１１上／用に提供／配置され、開放位置（Ｏ）から閉鎖位置（Ｃ）に折り重なるように構造化及び／又は構成された格納カバー１１３を更に含み、これにより、例えば格納コンポーネント１１１及び格納カバー１１３上のスナップ１１４を介して、格納コンポーネント１１１内に格納された付属品を固定する。実際には、様々なスナップ又はスナップのセットを使用してポーチコンパートメント１１１の内部容積を変えることができるように、格納カバー１１３を閉じた状態及び／又は間隔が開けられた状態に維持する際に追加の支持体／セキュリティを提供するために、複数のスナップ１１４が格納カバー１１３に使用され、これによりその中に確実に格納されるアイテムの数並びにタイプ及び／又はサイズの、より広い汎用性が可能となる。
【００２２】
図２Ｃを再び参照すると、格納カバーはポーチコンパートメント１０１上に及び／又は用紙ガイド１０３に直接取り付けられ／配置され、ポーチコンパートメント１０１内の用紙を所定の位置に保持するため、ポーチコンパートメント１０１内の用紙及び関連する用紙並びに／又はプリンタのアイテム／コンポーネントが輸送中に脱落するのを防ぐために、例えばポーチコンパートメント１０１及び格納カバー上のスナップを介して、格納カバーを収めて固定するように構造化／構成される。
【００２３】
図３Ａ‐図３Ｃは、除細動器／モニタ２０、ポーチモジュール９０（図２Ｂ）、プリンタポーチモジュール１００（図２Ｃ）及び背面ポーチモジュール１８０を使用したモジュール式医療装置の正面図、上面図及び背面図をそれぞれ示す。各ポーチモジュールは、しっかりと又は着脱可能に除細動器／モニタ２０に接続される。ポーチモジュール９０の中にデータ記憶装置４４及び医療用品／ツール５３を格納するポーチモジュール９０が示される。用紙４５を格納し、除細動器／モニタ２０のプリンタ３４の印刷動作中に用紙ガイド１０１を介して用紙４５Ｐをガイドするプリンタポーチモジュール１００が示される。用紙４５Ｐのさらなるガイダンスを提供するために、格納カバー（図示せず）はプリンタポーチモジュール１００に含まれてもよい。ＥＣＧケーブル４１及び電極４２を格納するポーチモジュール１８０が示される。
【００２４】
図１を再び参照すると、クレードルモジュール７０は、除細動器／モニタ２０に接続されるように構造的に構成され、これにより、ポーチモジュール６０は、例えばクレードルモジュール７０に永久的に一体化されるか、又は着脱可能に接続される。
【００２５】
実際には、除細動器／モニタ２０へのクレードルモジュール７０の接続は、クレードルモジュール７０と除細動器／モニタ２０との間の直接的な物理的接触、又はポーチモジュール６０のクレードルモジュール７０への隣接配置を伴う、クレードルモジュール７０の除細動器／モニタ２０へ／上への接続、連結、取り付け、装着、貼り付け等の任意の固定のタイプを含むが、これらに限定されない。
【００２６】
更に、クレードルモジュール７０は、クレードルモジュール７０の別の除細動器／モニタ２０への接続、連結、取り付け、装着、貼り付け等を含むが、これらに限定されない任意の理由で、除細動器／モニタ２０から切断、分離、着脱、除去、又は取り外し等されるように、更に構造的に構成される。このように、クレードルモジュール７０は、特に院内使用と院外緊急医療使用との両方のために互換性があり、汎用性がある。
【００２７】
また、実際には、クレードルモジュール７０へのポーチモジュール６０の接続は、ポーチモジュール６０とクレードルモジュール７０との間の直接的な物理的接触、又はポーチモジュール６０のクレードルモジュール７０への隣接配置を伴う、ポーチモジュール６０のクレードルモジュール７０へ／上への接続、連結、取り付け、装着、貼り付け等の任意の固定のタイプを含むが、これらに限定されない。
【００２８】
更に、ポーチモジュール６０は、ポーチモジュール６０の別のクレードルモジュール ７０への接続、連結、取り付け、装着、貼り付け等を含むが、これらに限定されない任意の理由で、クレードルモジュール ７０から切断、分離、着脱、除去、又は取り外し等されるように、更に構造的に構成される。このように、様々なクレードルモジュール ７０に接続されているポーチモジュール６０は、特に院内使用と院外緊急医療使用との両方のために互換性があり、汎用性がある。
【００２９】
また、実際には、クレードルモジュール ７０は、本明細書で教示される本発明の原理を考慮して当業者が理解するように、特定のタイプの除細動器／モニタ２０及びポーチモジュール６０に接続されるのに適した任意の構成、寸法及び材料組成（例えば、プラスチック、ゴム等）を有する。一実施形態では、クレードルモジュール ７０は、完全ではないにしても、部分的に、除細動器／モニタ２０を囲み、ポーチモジュール６０の格納コンパートメント６１内に付属品を固定するための１つ又は複数の格納カバー７１を含む。
【００３０】
例えば、図４Ａ‐図４Ｃは、側壁１２１及び１２４を備え、これらの間に一体化された背面壁１２７と底面部１３０とを含むフレームを有するクレードルモジュール１２０の正面図、上面図及び背面図をそれぞれ示す。フレームは、除細動器／モニタの側面及び背面を部分的に囲む。格納カバー１２２は、側壁１２１から上方に伸び、例えばスナップ１２３を介してポーチモジュールを収めて固定するように構造化及び／又は構成される。格納カバー１２５は、側壁１２４から上方に伸び、例えばスナップ１２６を介してポーチモジュール（図示せず）を収めて固定するように構造化及び／又は構成される。格納カバー１２８は、背面壁１２７から上方に伸び、例えばスナップ１２９を介してポーチモジュール（図示せず）を収めて固定するように構造化及び／又は構成される。
【００３１】
実際には、壁１２１、１２４、１２７及び底面部１３０は、構造的に構成され、例えば、地面、手術台、又は除細動器／モニタ２０の動作中にモジュール式医療装置を置くための任意の面のモジュール式医療装置の強力な配置等、モジュール式医療装置に加えられる力に耐える材料組成を有する。例えば、底面部１３０は、ゴム／空気圧縮補強部材及び／又はゴム支持部材を組み込む。
【００３２】
更に別の例では、図５Ａ‐図５Ｃは、除細動器／モニタ２０の側部、背面部及び底面部に接続されるクレードルモジュール１２０の壁及び床で、除細動器／モニタ２０を部分的に囲むクレードルモジュール１２０の正面図、上面図及び背面図をそれぞれ示す。格納カバー１２２は、スナップを介して、医療用品／ツール５３を格納するポーチモジュール８０を収めて固定される。格納カバー１２５は、スナップを介して、通信装置５１及びデータ記憶装置４４を格納するポーチモジュール９０を収めて固定される。格納カバー１２８は、スナップを介して、ＥＣＧケーブル／電極４１／４２を格納するポーチモジュール１８０に収められ固定される。各ポーチモジュールは、クレードルモジュール１２０の壁に接続され、これにより、ポーチモジュールを有する付属品へのアクセスを提供するために、格納カバーが開かれる。
【００３３】
本明細書の教示による、より視覚的な例を提供すると、図６は、院内除細動器／モニタ２０１並びにポーチモジュール２０２及び２０３を使用するモジュール式医療装置２００を示し、図７は、院外除細動器／モニタ３０１、並びに、スナップを介して側部コネクタポーチモジュール３０２を収めて固定された格納カバー３０３、スナップを介してプリンタポーチモジュール３０５を収めて固定された格納カバー３０６、及びスナップを介して背面コネクタモジュール３０８を収めて固定された格納カバー３０７を有するクレードルモジュールを使用するモジュール式医療装置３００を示す。
【００３４】
注目すべき重要な点は、本開示のポーチモジュール及びクレードルモジュールの汎用性である。例えば、図６に示すモジュール式医療装置に基づくモジュール式医療装置は、（１）側部コネクタポーチモジュール、（２）背面コネクタポーチモジュール、（３）プリンタコネクタポーチモジュール、（４）側部コネクタポーチモジュール及び背面コネクタポーチモジュール、（５）側部コネクタポーチモジュール及びプリンタポーチモジュール、（６）背面コネクタポーチモジュール及びプリンタポーチモジュール、又は、（７）コネクタモジュール及びプリンタモジュールの両方、を使用し得る。
【００３５】
更に別の例によると、図７に示すモジュール式医療装置に基づくモジュール式医療装置は、側部コネクタポーチモジュール、背面コネクタポーチモジュール、及びプリンタポーチモジュールの前述の７つの組み合わせのうち１つを有するクレードルを使用する。
【００３６】
更に、図８Ａ及び図８Ｂは、側壁４０１及び４０４を備えこれらの間に一体化された背面壁４０７と底面部４１０とを含むフレームを有するクレードルモジュール４００の前方斜視図及び後方斜視図をそれぞれ示す。フレームは、除細動器／モニタの側面、背面、底面を部分的に囲むように構造的に構成される。格納カバー４０２は、側壁４０１から上方に伸び、例えばスナップを介してポーチモジュール４０３を収めて固定するように構造化及び／又は構成される。格納カバー４０５は、側壁４０４から上方に伸び、例えばスナップを介してポーチモジュール４０６を収めて固定するように構造化及び／又は構成される。格納カバー４０８は、背面壁４０７から上方に伸び、例えばスナップを介してポーチモジュール４０９を収めて固定するように構造化及び／又は構成される。底面部４１０は、強化ゴム４１１及びゴム止め４１２を組み込む。また、側壁４０１及び４０４に連結された固定ストラップ４１３も含まれ、固定ストラップ４１３は、フレーム内に設置されたモニタを固定するために使用される。
【００３７】
（例えば、病院職員によって使用される）院内モニタ及び（例えば、ＥＭＳ職員によって使用される）院外モニタ等、図示したような除細動器／モニタに関して本発明を説明してきたが、本開示の例示的な実施形態が、患者モニタ（例えば、ＥＣＧモニタ）、自動体外式除細動器（ＡＥＤ）及び／又は他の除細動器を含むがこれらに限定されない他の医療装置で実装できることを、当業者は本明細書で提供される教示を考慮して理解できよう。実際、これらの他のタイプの製品に実装された本開示の例示的な実施形態は、具体的に企図され、本開示の範囲内にあるとみなされる。
【００３８】
図１乃至図８を考慮すると、当業者は、付属品、特に蘇生関連アイテムを格納するための柔軟性をエンドユーザに提供する除細動器／モニタを含むがこれらに限定されない本開示の多くの利点を理解するだろう。
【００３９】
更に、本発明の原理、側面、及び実施形態、並びにその特定の例を記載する本明細書における全ての記述は、その構造的及び機能的均等物の両方を包含するように意図されている。更に、そのような均等物は、現在知られている均等物並びに将来開発される均等物（例えば、構造に関わらず同じ又は実質的に類似の機能を果たすことができる開発された任意の要素）の両方を含むことが意図される。したがって、例えば、本明細書に提示された任意のブロック図は、本発明の原理を具体化する例示的なシステムコンポーネントの概念図を表すことができることを、当業者は本明細書で提供される教示を考慮して理解できよう。
【００４０】
本開示の好ましい及び例示的な実施形態を説明したが、これらの実施形態は例示的であって限定するものではなく、図面を含む本明細書に提供される教示に照らして、当業者によって修正及び変更がなされ得ることに留意されたい。したがって、本明細書に開示された実施形態の範囲内にある本開示の好ましい実施形態及び例示的実施形態内に／に、変更を加えることができることを理解されたい。
【００４１】
更に、装置／システムを組み込む及び／又は実装する、対応する及び／又は関連するシステム、又は、本開示による装置内で／で使用され／実装されるシステムもまた、本開示の範囲内にあることが企図され考慮される。更に、装置の製造及び使用のための対応する及び関連する方法、並びに本開示によるシステムもまた、本開示の範囲内にあることが企図され考慮される。
【図１】
2019166377.tif 000003
【図２Ａ】
2019166377.tif 000004
【図２Ｂ】
2019166377.tif 000005
【図２Ｃ】
2019166377.tif 000006
【図２Ｄ】
2019166377.tif 000007
【図３Ａ】
2019166377.tif 000008
【図３Ｂ】
2019166377.tif 000009
【図３Ｃ】
2019166377.tif 000010
【図４Ａ】
2019166377.tif 000011
【図４Ｂ】
2019166377.tif 000012
【図４Ｃ】
2019166377.tif 000013
【図５Ａ】
2019166377.tif 000014
【図５Ｂ】
2019166377.tif 000015
【図５Ｃ】
2019166377.tif 000016
【図６】
2019166377.tif 000017
【図７】
2019166377.tif 000018
【図８Ａ】
2019166377.tif 000019
【図８Ｂ】
2019166377.tif 000020
【手続補正書】
【提出日】令和1年6月17日(2019.6.17)
【手続補正１】
【補正対象書類名】特許請求の範囲
【補正対象項目名】全文
【補正方法】変更
【補正の内容】
【特許請求の範囲】
【請求項１】
除細動器又はＥＣＧモニタのうちの少なくとも１つを含む除細動器／モニタと、
前記除細動器／モニタに接続されるフレームを含むクレードルモジュールと、
前記クレードルモジュールの前記フレームに接続されるポーチモジュールと
を含む、モジュール式医療装置であって、
前記ポーチモジュールは、前記除細動器／モニタの動作を支援する少なくとも１つの付属品を格納するよう構造的に構成され、
前記ポーチモジュールは、前記フレームの側壁から伸びる格納カバーを含む、
モジュール式医療装置。
【請求項２】
前記クレードルモジュールは、前記ポーチモジュール内に格納された前記付属品の各々を固定するように構造的に構成された前記格納カバーを含む、請求項１に記載のモジュール式医療装置。
【請求項３】
前記格納カバーは、前記クレードルモジュールに対して開放位置と閉鎖位置との間で移行するように動作可能である、請求項２に記載のモジュール式医療装置。
【請求項４】
前記ポーチモジュールは、前記少なくとも１つの付属品を格納するための、少なくとも１つの格納コンパートメントを含む、請求項１に記載のモジュール式医療装置。
【請求項５】
前記ポーチモジュールは、前記少なくとも１つの格納コンパートメント内に格納された前記付属品の各々を固定するように構造的に構成された格納カバーを更に含む、請求項４に記載のモジュール式医療装置。
【請求項６】
前記格納カバーは、前記少なくとも１つの格納コンパートメントに対して開放位置と閉鎖位置との間で移行するように動作可能である、請求項５に記載のモジュール式医療装置。
【請求項７】
前記クレードルモジュールは、前記少なくとも１つの格納コンパートメント内に格納された前記付属品の各々を固定するように構造的に構成された格納カバーを含む、
請求項４に記載のモジュール式医療装置。
【請求項８】
前記格納カバーは、前記少なくとも１つの格納コンパートメントに対して開放位置と閉鎖位置との間で移行するように動作可能である、請求項７に記載のモジュール式医療装置。
【請求項９】
前記除細動器／モニタはプリンタを含み、
複数の前記ポーチモジュールのうちの１つは前記プリンタの印刷動作を支援する用紙をガイドするように構造的に構成される、
請求項１に記載のモジュール式医療装置。
【請求項１０】
前記クレードルモジュールの前記フレームは、少なくとも部分的に前記除細動器／モニタを囲むように構造的に構成される、
請求項１に記載のモジュール式医療装置。
【請求項１１】
前記フレームは、前記側壁の反対側の別の側壁と、これら側壁の間に一体化された１つ又は複数の背面部又は底面部とを含む、請求項１に記載のモジュール式医療装置。
【請求項１２】
前記底面部は、ゴム補強部材又は空気圧縮補強部材の少なくとも１つを含む、請求項１１に記載のモジュール式医療装置。
【請求項１３】
前記底面部は、少なくとも１つのゴム止めを含む、請求項１１に記載のモジュール式医療装置。
【請求項１４】
前記ポーチモジュールの前記格納カバーは、前記格納カバーを閉鎖位置に保持する解除可能な接続を更に含む、請求項１に記載のモジュール式医療装置。
【請求項１５】
前記フレームは、前記側壁の反対側の別の側壁と、これら側壁を連結するための固定ストラップとを含む、請求項１に記載のモジュール式医療装置。
【外国語明細書】
2019166377000001.pdf